【手続補正書】
【提出日】平成18年10月5日(2006.10.5)
【手続補正１】
【補正対象書類名】明細書
【補正対象項目名】００１３
【補正方法】変更
【補正の内容】
【００１３】
比較器５ｃの２つの入力ポートの一方は、減算器１に接続され、もう一方の入力ポートは基準電位Ｖｒｅｆに接続されている。つまり、比較器５ｃは、減算器１から入力されるトラッキングエラー信号ＴＥに対して、ＬＰＰ二値化レベルＬｌおよびＷＢＬ二値化レベルＬｗとして基準電位Ｖｒｅｆを用いて二値化して、ＬＰＰ二値化信号Ｂｐを生成して、出力端子Ｔｏから出力する。
【手続補正２】
【補正対象書類名】明細書
【補正対象項目名】００１７
【補正方法】変更
【補正の内容】
【００１７】
この場合のウォブル成分Ｅｗｂｌのピークより突出しているＬＰＰ成分Ｅｌｐｐの高さは、オントラックＬＰＰ高Ｈａより、ＲＦ残留成分Ｒｒｐの分だけ小さくなる。この場合のＬＰＰ成分の高さを非オントラックＬＰＰ高Ｈｂとする。つまり、Ｈａ＞Ｈｂが成立する。このため、図１６に示したように、オントラック時と同様に二値化レベルを定めても、ＬＰＰ二値化信号ＢｐあるいはＷＢＬ二値化信号Ｂｗを正しく検出できない。よって、上述の従来の光ディスク記録再生装置においては、ＲＦ成分ＥｒＦの振幅が等しくなる様にゲイン調整を行い、ＬＰＰの検出率を高めている。
【手続補正３】
【補正対象書類名】明細書
【補正対象項目名】００２８
【補正方法】変更
【補正の内容】
【００２８】
切替器３は、２つの入力ポートを有し、一方の入力ポートは減算器１に接続されて、トラッキングエラー信号ＴＥが入力される。切替器３の他方の入力ポートには、第１の基準電位Ｖｒｅｆ１が印加されている。切替器３は、さらに第３の入力端子Ｔｉ３に接続されて第１のスイッチ制御信号Ｓｗ１が入力される。
【手続補正４】
【補正対象書類名】明細書
【補正対象項目名】００２９
【補正方法】変更
【補正の内容】
【００２９】
切替器３は、第１のスイッチ制御信号Ｓｗ１に基づいて、２つの入力ポートに入力されるトラッキングエラー信号ＴＥと第１の基準電位Ｖｒｅｆ１の何れかを選択して出力する。具体的には、第１のスイッチ制御信号Ｓｗ１がハイレベル、つまりマーク部への照射タイミングを示している時には、切替器３は第１の基準電位Ｖｒｅｆ１を出力する。そして、第１のスイッチ制御信号Ｓｗ１がローレベル、つまりスペース部への照射タイミングを示している時は、切替器３は、トラッキングエラー信号ＴＥを出力する。なお、第１の基準電位Ｖｒｅｆ１は、高速記録によるマーク部への記録パワーの増加分をキャンセルできる大きさに設定されている。つまり、マーク部からのトラッキングエラー信号ＴＥをミュートする機能を有している。この意味において、切替器３からの出力信号を第１のミュートトラッキングエラー信号ＴＥａと呼ぶ。
【手続補正５】
【補正対象書類名】明細書
【補正対象項目名】００３０
【補正方法】変更
【補正の内容】
【００３０】
比較器５の２つの入力ポートの一方は、切替器３に接続され、もう一方の入力ポートは第２の基準電位Ｖｒｅｆ２に接続されている。つまり、比較器５は、切替器３から入力されるトラッキングエラー信号ＴＥに対して、図４を参照して説明したＬＰＰ二値化レベルＬｌおよびＷＢＬ二値化レベルＬｗとして第２の基準電位Ｖｒｅｆ２を用いて二値化して、スペース部のＬＰＰ二値化信号Ｂｌｐｐ（ｓ）を生成して、出力端子Ｔｏから出力する。
【手続補正６】
【補正対象書類名】明細書
【補正対象項目名】００３２
【補正方法】変更
【補正の内容】
【００３２】
（第２の実施形態）
図２に示すように、本実施形態にかかる、ランドプリピットアドレス復調装置ＤＭ２は、図１に示したランドプリピットアドレス復調装置ＤＭ１において、第３の入力端子Ｔｉ３と切替器３の間に二値化器７が追加されている。そして、第３の入力端子Ｔｉ３には、第１のスイッチ制御信号Ｓｗ１の代わりに、４つのトラッキングティテクタＡ、Ｂ、Ｃ、およびＤからの全て出力である全和信号ＡＳが入力される。つまり、本実施形態においては、光ピックアップとディスクを経由してきた反射信号である全和信号ＡＳを二値化器７によって、マーク部からの反射信号である場合にはハイレベル、スペース部からの反射信号である場合にはローレベルの第２のスイッチ制御信号Ｓｗ２に変換する。
【手続補正７】
【補正対象書類名】明細書
【補正対象項目名】００３５
【補正方法】変更
【補正の内容】
【００３５】
なお、切替器３から、第２のスイッチ制御信号Ｓｗ２に基づいて、トラッキングエラー信号ＴＥを第１の基準電位Ｖｒｅｆ１でミュートして第２のミュートトラッキングエラー信号ＴＥｂを出力する。なお、第２のミュートトラッキングエラー信号ＴＥｂは、上述の第１のミュートトラッキングエラー信号ＴＥａと基本的に同じ信号であるが、ミュートのタイミング信号が異なるので、第１のミュートトラッキングエラー信号ＴＥａとは区別している。
【手続補正８】
【補正対象書類名】明細書
【補正対象項目名】００３６
【補正方法】変更
【補正の内容】
【００３６】
（第３実施形態）
図３に示すように、本実施形態にかかる、ランドプリピットアドレス復調装置ＤＭ３は、図２に示したランドプリピットアドレス復調装置ＤＭ２において、二値化器７が遅延器９と交換されている。そして、第３の入力端子Ｔｉ３には、全和信号ＡＳの代わりに、ランドプリピットアドレス復調装置ＤＭにおける第１のスイッチ制御信号Ｓｗ１が入力される。遅延器９は、マークとスペースの切替タイミングと、実際にトラッキングディテクタで検出されるマーク部およびスペース部からの反射信号との時間差Ｄｔだけ第１のスイッチ制御信号Ｓｗ１を遅延させて、第３のスイッチ制御信号Ｓｗ３として出力する。切替器３は、第３のスイッチ制御信号Ｓｗ３に基づいて、マーク部からの反射信号であるトラッキングエラー信号ＴＥを第１の基準電位Ｖｒｅｆ１にミュートして、第３のミュートトラッキングエラー信号ＴＥｃを出力する。時間差Ｄｔは、予め、実験等の適切な手段で求めておけば良い。
【手続補正９】
【補正対象書類名】明細書
【補正対象項目名】００３８
【補正方法】変更
【補正の内容】
【００３８】
（第４実施形態）
図４に示すように、本実施形態にかかるランドプリピットアドレス復調装置ＤＭ４は、図３に示したランドプリピットアドレス復調装置ＤＭ３において、切替器３と比較器５の間にローパスフィルタ（ＬＰＦ）１１が追加されている。ローパスフィルタ１１によって、切替器３から出力されるＲＦ残留成分が除去された第３のミュートトラッキングエラー信号ＴＥｃから、切替器３によって付加されてしまうスイッチノイズを取り除いて、第４のミュートトラッキングエラー信号ＴＥｄとして出力する。比較器５では、このスイッチノイズが取り除かれた第４のミュートトラッキングエラー信号ＴＥｄを第２の基準電位Ｖｒｅｆ２で二値化して、ＬＰＰ二値化信号Ｂｌｐｐ（ｓ）をより精度よく検出できる。
【手続補正１０】
【補正対象書類名】明細書
【補正対象項目名】００４１
【補正方法】変更
【補正の内容】
【００４１】
ランドプリピットアドレス復調装置ＤＭ５は、可変ゲインアンプ１３までのオフセット電圧がないことを条件とする。この場合は、高倍速記録時のＬＰＰ二値化信号Ｂｌｐｐ（ｓ）の検出率が向上すると共に、倍速度が変わっても比較器５の第２の基準電位Ｖｒｅｆ２のレベル調整が不要である。
【手続補正１１】
【補正対象書類名】明細書
【補正対象項目名】００４３
【補正方法】変更
【補正の内容】
【００４３】
結果、比較器５の＋ポートに入力される信号のＤＣ成分が第２の基準電位Ｖｒｅｆ２と
等しくなる。そのために、第２の基準電位Ｖｒｅｆ２から作られるコンパレータの基準入力（−）の回路オフセット電圧調整が不要になり回路の簡略化ができる。なお、切替器３、ローパスフィルタ１１、および可変ゲインアンプ１３からの出力は、それぞれ、上述の第１のミュートトラッキングエラー信号ＴＥａ、第４のミュートトラッキングエラー信号ＴＥｄ、および第５のミュートトラッキングエラー信号ＴＥｅと基本的に同じであるが、第４のミュートトラッキングエラー信号ＴＥｄのＤＣ成分がフィードバックされている点が異なる。よって、切替器３、ローパスフィルタ１１、および可変ゲインアンプ１３からの出力を第１のミュートトラッキングエラー信号ＴＥａ’、第４のミュートトラッキングエラー信号ＴＥｄ’、および第５のミュートトラッキングエラー信号ＴＥｅ’と識別する。
【手続補正１２】
【補正対象書類名】明細書
【補正対象項目名】００４５
【補正方法】変更
【補正の内容】
【００４５】
（第７実施形態）
図７に示すように、本実施形態にかかるランドプリピットアドレス復調装置ＤＭ７は、図６に示したランドプリピットアドレス復調装置ＤＭ６において、比較器５の第２の基準電位Ｖｒｅｆ２が、ピークホールド器１７およびオフセット付加回路１８に交換されている。ピークホールド器１７は、可変ゲインアンプ１３からの出力される第４のミュートトラッキングエラー信号ＴＥｄ’をピークホールドして第６のトラッキングエラー信号ＴＥｆとして出力する。オフセット付加回路１８は、第６のトラッキングエラー信号ＴＥｆに所定のオフセットを付加して、第７のトラッキングエラー信号ＴＥｇとして出力する。つまり、ウォブル信号をピーク検波したレベルを基準にスライスすることにより、ウォブル信号自身をスライスして誤検出することが無くなる。結果、ＬＰＰ二値化信号Ｂｌｐｐ（ｓ）をより精度高く検出できる。
【手続補正１３】
【補正対象書類名】明細書
【補正対象項目名】００４８
【補正方法】変更
【補正の内容】
【００４８】
（第９実施形態）
図９に示すように、本実施形態にかかるランドプリピットアドレス復調装置ＤＭ９は、図８に示したランドプリピットアドレス復調装置ＤＭ８において、比較器５と出力端子Ｔｏの間に、ＯＲ回路２３が追加されて、同ＯＲ回路２３の一方の入力ポートに比較器５の出力が入力される。さらに、加算器１４の出力を＋側の入力とし、第２の基準電位Ｖｒｅｆ２を−側の入力とする比較器５ｃが追加されている。比較器５ｃの出力は、ＯＲ回路２３の他方の入力ポートに接続されている。
【手続補正１４】
【補正対象書類名】明細書
【補正対象項目名】００５６
【補正方法】変更
【補正の内容】
【００５６】
図１０の第３段目に、切替器３から出力される第５のミュートトラッキングエラー信号ＴＥｅ’の波形を示す。第３のスイッチ制御信号Ｓｗ３のハイレベルに同期して、第１のミュートトラッキングエラー信号ＴＥａ’のレベルが一定値（第１の基準電位Ｖｒｅｆ１）に置き換えられているのが見て取れる。
【手続補正１５】
【補正対象書類名】明細書
【補正対象項目名】００５８
【補正方法】変更
【補正の内容】
【００５８】
図１１の第２段目に、比較器５ｃに入力されるトラッキングエラー信号ＴＥ’と基準電位Ｖｒｅｆの波形が示されている。トラッキングエラー信号ＴＥ’は、ローパスフィルタ１１から出力された第４のミュートトラッキングエラー信号ＴＥｄ’のＤＣ成分が調整された後、トラッキングエラー信号ＴＥに加算されているので、トラッキングエラー信号ＴＥに比べてペデスタルレベルが上がると共に、高周波成分が除去されている。なお、基準電位Ｖｒｅｆは、一定値に設定されている。
【手続補正１６】
【補正対象書類名】明細書
【補正対象項目名】００５９
【補正方法】変更
【補正の内容】
【００５９】
図１１の第３段目に、可変ゲインアンプ１３から出力されるトラッキングエラー信号ＴＥｅ’および、ピークホールド器１７および可変オフセット付加器１９を介して出力されるトラッキングエラー信号ＴＥｈの波形が示されている。トラッキングエラー信号ＴＥｅ’は、トラッキングエラー信号ＴＥｄ’に比べて増幅されている。